(57)【特許請求の範囲】
【請求項１】
本体（１２）が、相互に固定される本体シャシ（１４）及び本体パネル（１６）を含み、トレイアセンブリ（２２）が、所定直線方向の移動により前記本体パネル（１６）のトレイ出入り用開口部（１８）より外へ突出自在になっているトレイ（２６）と、トレイ移動方向へ延び前記トレイ（２６）に一体に装備されている軸部材（２８，３０）と、メカシャシ（２４）に固定され前記軸部材（２８，３０）をトレイ移動方向へ案内する案内部材（３２，３４）とを有し、前記メカシャシ（２４）が前記本体（１２）に固定されるトレイ付き装置（１０）におけるトレイ位置決め方法において、
トレイ移動方向への相対移動により相互に嵌合自在の凸部（４２）及び凹部（４６）を前記案内部材（３２，３４）及び前記本体パネル（１６）の対峙部の一方及び他方にそれぞれ予め設けておき、
前記凸部（４２）を前記凹部（４６）に嵌合させ、
この嵌合を維持しつつ前記メカシャシ（２４）を前記本体（１２）に固定する、
ことを特徴とするトレイ付き装置におけるトレイ位置決め方法。
【請求項２】
前記凸部（４２）又は前記凹部（４６）が設けられる前記案内部材（３２，３４）及び前記本体パネル（１６）の対峙部を平面とし、
その平面同士をトレイ移動方向へ相互に突き当てて前記メカシャシ（２４）を前記本体（１２）に固定する、
ことを特徴とする請求項１記載のトレイ付き装置におけるトレイ位置決め方法。
【請求項３】
本体（１２）が、相互に固定される本体シャシ（１４）及び本体パネル（１６）を含み、トレイアセンブリ（２２）が、所定直線方向の移動により前記本体パネル（１６）のトレイ出入り用開口部（１８）より外へ突出自在になっているトレイ（２６）と、トレイ移動方向へ延び前記トレイ（２６）に一体に装備されている軸部材（２８，３０）と、メカシャシ（２４）に固定され前記軸部材（２８，３０）をトレイ移動方向へ案内する案内部材（３２，３４）とを有し、前記メカシャシ（２４）が前記本体（１２）に固定されるトレイ付き装置（１０）におけるトレイ位置決め装置において、
（ａ）前記案内部材（３２，３４）及び前記本体パネル（１６）の対峙部の一方及び他方にそれぞれ設けられトレイ移動方向への相対移動により相互に嵌合する凸部（４２）及び凹部（４６）、及び
（ｂ）前記凸部（４２）及び前記凹部（４６）の相互の嵌合を維持しつつ前記メカシャシ（２４）を前記本体（１２）に固定する固定手段（５６，６４）、
を有していることを特徴とするトレイ付き装置におけるトレイ位置決め装置。
【請求項４】
前記凸部（４２）又は前記凹部（４６）が設けられる前記案内部材（３２，３４）及び前記本体パネル（１６）の対峙部は平面であり、前記固定手段（５６，６４）は、前記案内部材（３２，３４）及び前記本体パネル（１６）の対峙部の平面同士の相互の突き当てを維持しつつ、前記メカシャシ（２４）を前記本体（１２）に固定するものであることを特徴とする請求項３記載のトレイ付き装置におけるトレイ位置決め装置。
【請求項５】
ばか穴（５２，６６）及びねじ穴（６０，７０）が前記メカシャシ（２４）及び前記本体（１２）の一方及び他方にそれぞれ設けられ、前記固定手段（５６，６４）としての螺合部材（５６，６４）は、前記ばか穴（５２，６６）に挿通されて先端部において前記ねじ穴（６０，７０）に螺着して、前記メカシャシ（２４）及び前記本体（１２）を相互に締付けていることを特徴とする請求項３又は４記載のトレイ付き装置におけるトレイ位置決め装置。
【請求項６】
前記軸部材（２８，３０）は、前記トレイ（２６）の左右の側辺部に沿って延びる２本の軸（２８，３０）であり、前記案内部材（３２，３４）は、各軸（２８，３０）をトレイ移動方向へ摺動自在に支持する軸受（３２，３４）であることを特徴とする請求項３〜５のいずれかに記載のトレイ付き装置におけるトレイ位置決め装置。
【発明の詳細な説明】
【０００１】
【発明の属する技術分野】
この発明は、ＣＤプレーヤ等のトレイ付き装置におけるトレイ位置決め方法及び装置に係り、詳しくはトレイ出入り用開口部とトレイとの相互間の位置付けを正確化できるトレイ付き装置におけるトレイ位置決め方法及び装置に関するものである。
【０００２】
【従来の技術】
図５は従来のシングルＣＤプレーヤ９０におけるプレーヤ本体１２へのトレイアセンブリ２２の取付前の斜視図である。シングルＣＤプレーヤ９０において、後述のこの発明の実施の形態の要素と対応する要素は同符号で指示し、主要点を中心に説明する。トレイアセンブリ２２はメカシャシ２４及びトレイ２６等の部品から構成され、本体パネル１６は、トレイ出入り用開口部１８をもち、本体シャシ１４の前端に固定される。計４個の円形ボス９２は本体シャシ１４の上面の所定個所に突設され、トレイアセンブリ２２は、メカシャシ２４の各円形穴９４が各円形ボス９２に嵌合するように、本体シャシ１４に載置されてから、ねじ６４により本体シャシ１４に締着される。
【０００３】
【発明が解決しようとする課題】
トレイ２６は、前後方向へ移動して、トレイ出入り用開口部１８から出入りする必要があるので、トレイ出入り用開口部１８とトレイ２６との相互間の位置付けは正確性を要する。しかしながら、従来のシングルＣＤプレーヤ９０では、トレイアセンブリ２２においてメカシャシ２４及びトレイ２６間に多数の部品が介在する結果、それらの部品寸法誤差及び組付け誤差が積み重なり、トレイ出入り用開口部１８及び主軸２８の相互間の位置付けが悪化している。
【０００４】
この発明の目的は、トレイ出入り用開口部及びトレイの相互間の位置付けを正確化できるトレイ付き装置おけるトレイ位置決め方法及び装置を提供することである。
【０００５】
【課題を解決するための手段】
この発明のトレイ位置決め方法が適用されるトレイ付き装置（１０）では、本体（１２）は、相互に固定される本体シャシ（１４）及び本体パネル（１６）を含んでいる。トレイアセンブリ（２２）は、所定直線方向の移動により本体パネル（１６）のトレイ出入り用開口部（１８）より外へ突出自在になっているトレイ（２６）と、トレイ移動方向へ延びトレイ（２６）に一体に装備されている軸部材（２８，３０）と、メカシャシ（２４）に固定され軸部材（２８，３０）をトレイ移動方向へ案内する案内部材（３２，３４）とを有し、メカシャシ（２４）が本体（１２）に固定される。そして、この発明のトレイ位置決め方法では、
トレイ移動方向への相対移動により相互に嵌合自在の凸部（４２）及び凹部（４６）を案内部材（３２，３４）及び本体パネル（１６）の対峙部の一方及び他方にそれぞれ予め設けておき、
凸部（４２）を凹部（４６）に嵌合させ、
この嵌合を維持しつつメカシャシ（２４）を本体（１２）に固定する。
【０００６】
トレイ付き装置（１０）には、シングルＣＤプレーヤの外、ＬＤプレーヤ、マルチＣＤプレーヤ、ＭＤプレーヤ、ＣＤ−ＲＯＭドライブ、水平ローディングカセット等、トレイを、水平方向及び鉛直方向等の直線方向へ移動させて、トレイ出入り用開口部から出し入れするあらゆるトレイ付き装置を含むものとする。また、凸部（４２）及び凹部（４６）を案内部材（３２，３４）及び本体パネル（１６）の対峙部の一方及び他方にそれぞれ設けるとは、凸部（４２）及び凹部（４６）を，それぞれ案内部材（３２，３４）及び本体パネル（１６）に設けてもよいし、それぞれ本体パネル（１６）及び案内部材（３２，３４）に設けてもよいことを意味するものとする。凸部（４２）及び凹部（４６）の横断面形状は円形及び非円形を含む。凸部（４２）及び凹部（４６）の横断面形状が円形の場合には、円周方向の位置決めがなされないので、凸部（４２）及び凹部（４６）の対は２個以上必要になる。凸部（４２）及び凹部（４６）の対が２以上の場合、第１の対の凸部（４２）及び凹部（４６）はそれぞれ案内部材（３２，３４）及び本体パネル（１６）に設け、第２の対の凸部（４２）及び凹部（４６）はそれぞれ本体パネル（１６）及び案内部材（３２，３４）に設けるようにしてもよい。
【０００７】
この発明の他のトレイ付き装置（１０）におけるトレイ位置決め方法によれば、凸部（４２）又は凹部（４６）が設けられる案内部材（３２，３４）及び本体パネル（１６）の対峙部を平面とし、その平面同士をトレイ移動方向へ相互に突き当ててメカシャシ（２４）を本体（１２）に固定する。
【０００８】
この発明のトレイ位置決め装置が適用されるトレイ付き装置（１０）によれば、本体（１２）は、相互に固定される本体シャシ（１４）及び本体パネル（１６）を含んでいる。トレイアセンブリ（２２）は、所定直線方向の移動により本体パネル（１６）のトレイ出入り用開口部（１８）より外へ突出自在になっているトレイ（２６）と、トレイ移動方向へ延びトレイ（２６）に一体に装備されている軸部材（２８，３０）と、メカシャシ（２４）に固定され軸部材（２８，３０）をトレイ移動方向へ案内する案内部材（３２，３４）とを有し、メカシャシ（２４）が本体（１２）に固定される。そして、この発明のトレイ位置決め装置は次の（ａ）及び（ｂ）の要素を有している。
（ａ）案内部材（３２，３４）及び本体パネル（１６）の対峙部の一方及び他方にそれぞれ設けられトレイ移動方向への相対移動により相互に嵌合する凸部（４２）及び凹部（４６）
（ｂ）凸部（４２）及び凹部（４６）の相互の嵌合を維持しつつメカシャシ（２４）を本体（１２）に固定する固定手段（５６，６４）
【０００９】
この発明の他のトレイ付き装置（１０）におけるトレイ位置決め装置によれば、凸部（４２）又は凹部（４６）が設けられる案内部材（３２，３４）及び本体パネル（１６）の対峙部は平面である。固定手段（５６，６４）は、案内部材（３２，３４）及び本体パネル（１６）の対峙部の平面同士の相互の突き当てを維持しつつ、メカシャシ（２４）を本体（１２）に固定するものである。
【００１０】
案内部材（３２，３４）及び本体パネル（１６）は、凸部（４２）及び凹部（４６）の相互の嵌合によりトレイ移動方向に対して直角方向に正確に相互に位置決めされる。軸部材（２８，３０）はトレイ（２６）と一体であるので、結果、トレイ出入り用開口部（１８）及びトレイ（２６）はトレイ移動方向に対して直角方向についての相互間の位置付けを正確化される。案内部材（３２，３４）及び本体パネル（１６）は、また、対峙部の平面同士の突き当てによりトレイ移動方向へ正確に相互に位置決めされる。軸部材（２８，３０）はトレイ（２６）と一体であるので、結果、トレイ移動方向へトレイ出入り用開口部（１８）及びトレイ（２６）はトレイ移動方向についての相互間の位置付けを正確化される。
【００１１】
この発明の他のトレイ付き装置（１０）におけるトレイ位置決め装置によれば、ばか穴（５２，６６）及びねじ穴（６０，７０）がメカシャシ（２４）及び本体（１２）の一方及び他方にそれぞれ設けられる。固定手段（５６，６４）としての螺合部材（５６，６４）は、ばか穴（５２，６６）に挿通されて先端部においてねじ穴（６０，７０）に螺着して、メカシャシ（２４）及び本体（１２）を相互に締付けている。
【００１２】
ばか穴（５２，６６）がメカシャシ（２４）に設けられている場合は、螺合部材（５６，６４）は、ばか穴（５２，６６）を挿通してから、先端部において本体（１２）のねじ穴（６０，７０）に螺合して、メカシャシ（２４）及び本体（１２）を相互に固定する。ばか穴（５２，６６）が本体（１２）に設けられている場合は、螺合部材（５６，６４）は、ばか穴（５２，６６）を挿通してから、先端部においてメカシャシ（２４）のねじ穴（６０，７０）に螺合して、メカシャシ（２４）及び本体（１２）を相互に締付ける。
【００１３】
トレイ出入り用開口部（１８）とトレイ（２６）との相互間の位置付けによる本体（１２）及びメカシャシ（２４）の相対位置の誤差は、ばか穴（５２，６６）内における螺合部材（５６，６４）の変位により吸収される。
【００１４】
この発明の他のトレイ付き装置（１０）におけるトレイ位置決め装置によれば、さらに、軸部材（２８，３０）は、トレイ（２６）の左右の側辺部に沿って延びる２本の軸（２８，３０）であり、案内部材（３２，３４）は、各軸（２８，３０）をトレイ移動方向へ摺動自在に支持する軸受（３２，３４）である。
【００１５】
２個案内部材（３２，３４）は、トレイ（２６）の幅方向へ最大限開いた個所に存在し、その案内部材（３２，３４）の部位において案内部材（３２，３４）及び本体パネル（１６）の相互間の位置付けが行われることになるので、位置決めの精度が向上する。
【００１６】
【発明の実施の形態】
以下、発明の実施の形態について図面を参照して説明する。
図１、図２、図３、及び図４はそれぞれシングルＣＤプレーヤ１０の平面図、正面図、左側面図、及び右側面図である。プレーヤ本体１２は、底板としての本体シャシ１４と、本体シャシ１４の前端部に固定されて起立する本体パネル１６と、本体パネル１６の下面側の４隅に上端部を装着されてシングルＣＤプレーヤ１０の重量を支持する４個の脚部２０を備える。
【００１７】
トレイアセンブリ２２は、基板としてのメカシャシ２４、及びそれに組み付けられるトレイ２６等の部品を含む。主軸２８及び副軸３０は、トレイ２６の左右の側辺部に沿って相互に平行に前後方向へ延び、両端においてトレイ２６に固定されている。主軸用軸受３２及び副軸用軸受３４は、それぞれ主軸２８及び副軸３０に嵌合し、主軸２８及び副軸３０をその軸方向へ案内する。トレイ２６は、上面の適正位置にＣＤ３６を載置するためのＣＤ包囲壁部３８を備え、前方への移動によりトレイ出入り用開口部１８より外へ突出自在になっている。本体シャシ１４内へのトレイ２６の格納時では、トレイ２６の前面部４０は、トレイ出入り用開口部１８をほぼ塞ぐように、トレイ出入り用開口部１８と形状及び大きさのほぼ同じに揃えられている。主軸用軸受３２は、前後方向の２個所においてねじ４１によりメカシャシ２４の前端部に固定され、副軸用軸受３４は１個所においてメカシャシ２４の前端部の個所に固定される。主軸用軸受３２及び副軸用軸受３４の前端は、本体パネル１６の後面（＝内面）の垂直平面に合わせて垂直平面に規定されており、前方へ突出する円形ボス４２を備えている。円形穴４６は、本体パネル１６の内面（＝後面）側においてトレイ出入り用開口部１８の左右端よりより少し下に穿設され、円形ボス４２とほぼ密に嵌合するようになっている。左右のねじ５６は、ワッシャ５８に挿通されてから、メカシャシ２４の前端起立壁部のばか穴５２に挿通され、本体パネル１６の内面側のねじ穴６０に螺合し、メカシャシ２４の前端起立壁部を本体パネル１６の内面へ締付ける。ばか穴５２は、ねじ５６の軸部の径より大きく、かつワッシャ５８の外径より小さい径となっている。ねじ６４は、ワッシャ（図示せず）を挿通してから、メカシャシ２４の左右後端部の側方張出し部のばか穴６６に挿通され、さらに、本体シャシ１４のねじ穴７０に螺合し、メカシャシ２４の左右後端部の側方張出し部を本体シャシ１４に締付ける。ばか穴６６は、ねじ６４の軸部の径より大きく、かつねじ６４用のワッシャの径より小さい径となっている。
【００１８】
プレーヤ本体１２へのトレイアセンブリ２２の取付手順について説明する。最初にトレイアセンブリ２２の主軸用軸受３２及び副軸用軸受３４の円形ボス４２を本体パネル１６の内面側の円形穴４６に嵌合させる。そして、主軸用軸受３２及び副軸用軸受３４の垂直平面の前面を本体パネル１６の内面の垂直平面に突き当てて、平面接触状態にする。これにより、トレイ出入り用開口部１８及びトレイ２６は垂直面方向及び水平面方向に相互に正確に位置付けされる。そして、円形穴４６への円形ボス４２の嵌合と、主軸用軸受３２及び副軸用軸受３４と本体パネル１６との平面接触とを維持しつつ、トレイ２６の前端側では、ねじ５６をトレイ２６の前端左右のばか穴５２に挿通させてから、トレイ出入り用開口部１８の内面の左右のねじ穴６０に螺着し、また、トレイ２６の後端側では、ねじ６４をトレイ２６の後端左右のばか穴６６に挿通させてから、本体シャシ１４の左右のねじ穴７０に螺合させる。本体パネル１６への主軸用軸受３２及び副軸用軸受３４の位置決めに伴うねじ５６，６４の個所でのメカシャシ２４と本体パネル１６及び本体シャシ１４との相対位置の誤差は、ばか穴５２内のねじ５６の相対位置の変化及びばか穴６６内のねじ６４の相対位置の変化により吸収され、ねじ５６，６４は支障なくねじ穴６０，７０に螺合される。
【図面の簡単な説明】
【図１】シングルＣＤプレーヤの平面図である。
【図２】シングルＣＤプレーヤの正面図である。
【図３】シングルＣＤプレーヤの左側面図である。
【図４】シングルＣＤプレーヤの右側面図である。
【図５】従来のシングルＣＤプレーヤにおけるプレーヤ本体へのトレイアセンブリの取付前の斜視図である。
【符号の説明】
１０    シングルＣＤプレーヤ（トレイ付き装置）
１２    プレーヤ本体（本体）
１４    本体シャシ
１６    本体パネル
１８    トレイ出入り用開口部
２２    トレイアセンブリ
２４    メカシャシ
２６    トレイ
２８    主軸（軸部材、軸）
３０    副軸（軸部材、軸）
３２    主軸用軸受（案内部材、軸受）
３４    副軸用軸受（案内部材、軸受）
４２    円形ボス
４６    円形穴
５２    ばか穴
５６    ねじ（固定手段、螺合部材）
６０    ねじ穴
６４    ねじ（固定手段、螺合部材）
６６    ばか穴
７０    ねじ穴
【図１】
0003585079.tif 000002
【図２】
0003585079.tif 000003
【図３】
0003585079.tif 000004
【図４】
0003585079.tif 000005
【図５】
0003585079.tif 000006